(57)【要約】【課題】内容物の粘度を低くしても櫛歯間に内容物を十分溜める保持力を有し、毛髪に塗布した際に塗布ムラを防止することができる櫛付きキャップを提供することである。【解決手段】内容物を収納した容器本体の口筒部に密に組付く組付き筒２の上端に、頂壁３を介して起立筒５を立設し、該起立筒５の上端に設けた頂板６の上面に複数の櫛歯片７を左右に整列した状態で起立設し、該櫛歯片７が、隣接する櫛歯片７間のスペースＳに内容物を吐出するための吐出口８０を設けると共に、該吐出口８０から、該頂板６を貫通して起立筒５の内側と連通する連通孔９が形成された櫛付キャップであって、該櫛歯片７間のスペースＳの両端部にそれぞれ副櫛歯片１０を起立設し、該副櫛歯片１０が内側に液溜め部１１を有していることを特徴とする櫛付きキャップ。【選択図】図１
2018108145.tif 000002
【特許請求の範囲】
【請求項１】
内容物を収納した容器本体の口筒部に密に組付く組付き筒（２）の上端に、頂壁（３）を介して起立筒（５）を立設し、該起立筒（５）の上端に設けた頂板（６）の上面に複数の櫛歯片（７）を左右に整列した状態で起立設し、
該櫛歯片（７）が、隣接する櫛歯片（７）間のスペース（Ｓ）に内容物を吐出するための吐出口（８０）を設けると共に、該吐出口（８０）から、該頂板（６）を貫通して起立筒（５）の内側と連通する連通孔（９）が形成された櫛付キャップであって、
該櫛歯片（７）間のスペース（Ｓ）の両端部にそれぞれ副櫛歯片（１０）を起立設し、該副櫛歯片（１０）が内側に液溜め部（１１）を有していることを特徴とする櫛付きキャップ。
【請求項２】
前記副櫛歯片（１０）は、吐出口（８０）の中心部高さまで起立している請求項１に記載の櫛付きキャップ。
【請求項３】
前記櫛歯片（７）の側端部には、先端部近傍を除いて窪んだ側端凹部（１２）が設けられている請求項１又は２に記載の櫛付きキャップ。
【請求項４】
前記櫛歯片（７）は、
櫛歯片（７）の並列方向に延在して複数の櫛歯片（７）を貫通するピン金型により形成される第一吐出口（８１）を有しており、
該複数の櫛歯片（７）のうち、少なくとも１つの櫛歯片（７）は、前記連通孔（９）を形成するコア金型にキャビティ金型の一部を接触させて成形することによりその接触部分に形成された第二吐出口（８２）を有している請求項１〜３のいずれかに記載の櫛付きキャップ。
【請求項５】
前記第一吐出口（８１）は前記櫛歯片（７）の先端側に配設されており、第一吐出口（８１）の開口面積が第二吐出口（８２）より大きい請求項１〜４のいずれかに記載の櫛付きキャップ。
【発明の詳細な説明】
【技術分野】
【０００１】
本発明は、容器本体の口筒部に取り付け可能な櫛付きキャップに関し、詳しくは、容器本体に収納されたヘアマニキュアや白髪染め液の内容物を毛髪に塗布すべく構成された櫛付きキャップに関するものである。
【背景技術】
【０００２】
この種の櫛付きキャップとして、従来、例えば特許文献１に示されているような、内容物を収容した容器本体の口筒部に取り付け可能なキャップ本体部と、このキャップ本体の上面に設けられた櫛部と、を備えた構成が知られている。前記櫛部には、一列に並列された複数の櫛歯が備えられている。この櫛歯のうち、隣り合う櫛歯に対向する櫛歯並列方向の側面には、容器本体の内容物を吐出させるための吐出口が形成されている。また、櫛歯の内部には、上記した吐出口とキャップ本体部の内側とを連通する連通孔が形成されている。この櫛付きキャップでは、容器本体に収容された内容物が連通孔を通って吐出口から吐出されるので、櫛歯間の隙間に内容物を吐出させるとともに櫛部で毛髪を梳かすことにより、毛髪に内容物を塗布することができる。
【０００３】
しかしながら、上記した従来の櫛付きキャップでは、内容物を吐出する吐出口が櫛歯並列方向の側面にだけ形成されており、内容物が隣り合う櫛歯間にのみ吐出される。そのため、内容物の粘度を高くすると櫛歯間に内容物を保持し易くなるが毛髪への塗布がし辛くなくなり、また、粘度が高いことで吐出された内容物が吐出口のある櫛部の先端部分だけに溜まっていると、内容物を櫛部で梳かしながら毛髪等に塗布した際に塗布ムラが生じ易くなる。一方、内容物の粘度を低く（柔らかく）すると毛髪への塗布はし易くなるものの櫛歯間に内容物を溜める保持力が低下し外部に垂れ流れて周囲を汚してしまうことから、内容物を一度に多量に吐出させることができず、内容物の塗布量が不足して塗布ムラが生じることがある。
【先行技術文献】
【特許文献】
【０００４】
【特許文献１】特開２００２−１９１４２７号公報
【発明の概要】
【発明が解決しようとする課題】
【０００５】
本発明の目的は、上記した従来の問題を解決することであり、内容物の粘度を低くしても櫛歯間に内容物を十分溜める保持力を有し、毛髪に塗布した際に塗布ムラを防止することができる櫛付きキャップを提供することである。
【課題を解決するための手段】
【０００６】
上記課題を解決するため、本発明の櫛付きキャップの主たる構成は、
内容物を収納した容器本体の口筒部に密に組付く組付き筒の上端に、頂壁を介して起立筒を立設し、該起立筒の上端に設けた頂板の上面に複数の櫛歯片を左右に整列した状態で起立設し、
該櫛歯片が、隣接する櫛歯片間のスペースに内容物を吐出するための吐出口を設けると共に、該吐出口から、該頂板を貫通して起立筒の内側と連通する連通孔が形成された櫛付キャップであって、
該櫛歯片間のスペースの両端部にそれぞれ副櫛歯片を起立設し、該副櫛歯片が吐出口側の内側に液溜め部を有していることを特徴とする。
【０００７】
上記主たる構成では、内容物の粘度を低くしても櫛歯片間のスペースに内容物を溜める保持力を十分に発揮することができ、これにより毛髪に塗布した際に塗布ムラを防止することができる。
【０００８】
また、本発明の他の構成は、副櫛歯片が吐出口の中心部高さまで起立している。
【０００９】
副櫛歯片が吐出口の中心部高さまで起立しているため、吐出口から吐出された内容物がすぐに液溜め部に溜まり易く、内容物を溜める保持力が十分に発揮することができる。
【００１０】
また、本発明の他の構成は、櫛歯片の側端部に先端部近傍を除いて窪んだ側端凹部が設けられているものである。
【００１１】
側端凹部を設けることによって、内容物が毛髪等に過剰に塗布された際、過剰な内容物が側端凹部に流入し一時的に溜めることができ、継続して毛髪を梳かした時に、側端凹部に溜まった内容物を毛髪等に塗布することができため塗布ムラを防止することが可能である。
【００１２】
また、本発明の他の構成は、櫛歯片が、櫛歯片の並列方向に延在して複数の櫛歯片を貫通するピン金型により形成される第一吐出口を有しており、該複数の櫛歯片のうち、少なくとも１つの櫛歯片は、連通孔を形成するコア金型にキャビティ金型の一部を接触させて成形することによりその接触部分に形成された第二吐出口を有しているものである。
【００１３】
櫛歯片の軸方向の位置が異なる第一吐出口及び第二吐出口から内容物がそれぞれ吐出され、スペースの広範囲の領域に内容物が吐出されるので、一度に多量の内容物を吐出させることができ、毛髪に十分な量の内容物を塗布することができる。
【００１４】
更に、本発明の他の構成は、第一吐出口は前記櫛歯片の先端側に配設されており、第一吐出口の開口面積が第二吐出口より大きいものである。
【００１５】
この構成によって、第一吐出口及び第二吐出口における吐出量のばらつきが抑えられ、各吐出口からの吐出量の均等化を図ることができ、延いては、櫛歯片間のスペースに均等に内容物を吐出させることができ、毛髪等に内容物をムラ無く塗布することが可能となる。
【発明の効果】
【００１６】
本発明は、上記した構成となっているので、以下に示す効果を奏する。
本発明の主たる構成においては、内容物の粘度を低くしても櫛歯片間のスペースに内容物を溜める保持力を十分に発揮することができ、これにより毛髪に塗布した際に塗布ムラを防止することができる。
また、本発明の構成においては、内容物が毛髪等に過剰に塗布された際、過剰な内容物を側端凹部に一時的に溜めることができ、継続して毛髪を梳かした時に、側端凹部に溜まった内容物を毛髪等に塗布することができため塗布ムラを防止することが可能である。
更に、本発明の構成においては、櫛歯片間のスペースに均等に多くの内容物を吐出させることができ、毛髪等に内容物をムラ無く塗布することが可能となる。
【図面の簡単な説明】
【００１７】
【図１】本発明の第１の実施形態の櫛付きキャップの平面図である。
【図２】図１に示す第１の実施形態を櫛付きキャップのＡ−Ａ間の半縦断面図である。
【図３】図１に示す第１の実施形態を櫛付きキャップのＢ−Ｂ間の半縦断面図である。
【図４】本発明の櫛付きキャップの副櫛歯片の横断面図である。
【図５】本発明の第２の実施形態の櫛付きキャップの平面図である。
【図６】図５に示す第２の実施形態を櫛付きキャップのＣ−Ｃ間の半縦断面図である。
【図７】図５に示す第２の実施形態を櫛付きキャップのＤ−Ｄ間の半縦断面図である。
【図８】本発明の第２の実施形態の櫛付きキャップでの櫛歯片の部分拡大図（ａ）であり、側面図（ｂ）である。
【図９】本発明の第３の実施形態の櫛付きキャップの平面図である。
【図１０】図９に示す第３の実施形態を櫛付きキャップのＥ−Ｅ間の半縦断面図である。
【図１１】図９に示す第３の実施形態を櫛付きキャップのＦ−Ｆ間の半縦断面図である。
【図１２】本発明の第４の実施形態の櫛付きキャップの平面図である。
【図１３】図１２に示す第４の実施形態を櫛付きキャップのＧ−Ｇ間の半縦断面図である。
【図１４】図１２に示す第４の実施形態を櫛付きキャップのＨ−Ｈ間の半縦断面図である。
【発明を実施するための形態】
【００１８】
以下、本発明の実施形態について図面を参照しつつ説明する。
（第１の実施形態）
初めに、図１〜図４を用いて第１の実施形態について説明する。
図１は本実施形態における櫛付きキャップ１の平面図であり、図２は図１に示すＡ−Ａ間の半縦断面図であり、図３は図１に示すＢ−Ｂ間の半縦断面図であり、図４は副櫛歯片の横断面図である。
なお、本実施の形態では、櫛付きキャップ１の開口端側（図２における下側）を下方とし、その反対側（図２における上側）を上方とする。また、後述する櫛歯片７や副櫛歯片１０が並べられた櫛歯並列方向（図１における横方向）をＸ方向とし、Ｘ方向に直交する方向（図１における縦方向）をＹ方向とする。更に、図２で上下方向に延在する符号Ｏは、櫛付きキャップ１の中心軸線（中心軸Ｏ）であり、また符号Ｏ１は、後述する櫛歯片７の中心軸線（櫛歯軸Ｏ１）である。
【００１９】
櫛付きキャップ１は、容器本体（図示せず）の口筒部に取り付けられるポリエチレンやポリプロピレン等の合成樹脂製の射出成形により一体成形された部材である。容器本体（図示せず）は、内部にヘアマニキュアや毛染め剤等の内容物が収容されたスクイズボトルであり、その胴部がスクイズ変形可能で復元自在な可撓性を有する。
【００２０】
櫛付きキャップ１は容器本体（図示せず）の口筒部に外装螺合する円筒形状の組付き筒２を有し、この組付き筒２の上端に内鍔状に連設された頂壁３の下面には、口筒部の開口部に密嵌入する短円筒状のシール筒片４を垂下設している。組付き筒２の外周面には、上下方向に延在する凸条部２ａが周方向に間隔を空けて複数配設されている。そして、組付き筒２の上端に頂壁３を介して上端を図１に示す平面視でＸ方向に延びた略楕円形状の頂板６を形成し、この頂板６に向かって起立筒５が起立設している。起立筒５の上部には、上方に向かうに従い漸次縮径する傾斜面５ａがＹ方向にそれぞれ形成されている。
【００２１】
この頂板６の上面には複数の櫛歯片７を左右に整列した状態で起立設している。櫛歯片７は、中心軸Ｏに平行する平板状の部材であり、図３に示されるように上方に向かうに従い漸次縮幅された尖形状である。櫛歯片７の先端部及び側端部は、それぞれ断面視円弧形状になっている。複数の櫛歯片７は、図１に示されるように、櫛歯片７の先端側（上側）から見て、それぞれＹ方向に沿って互いに平行に配置されていると共に、Ｘ方向に一定間隔をおいて直線状に一列に並設されている。
【００２２】
複数の櫛歯片７のうち、頂板６の中心部に位置する櫛歯片７Ａ〜７Ｃの先端部の側面には、Ｘ方向に延在して複数の櫛歯片７を貫通するピン部材により形成された貫通孔８が配設されている。また、この貫通孔８から、頂板６を通り起立筒５の内部とを連通する連通孔９を中心軸Ｏ方向に形成している。つまり、櫛歯片７の先端部のＹ方向の中央部分には、Ｘ方向に貫通する丸孔状の貫通孔８が形成されており、この貫通孔８の軸方向（Ｘ方向）の中央部分に連通孔９の上端が連通されており、貫通孔８の両端がそれぞれ隣接する櫛歯片７間のスペースＳに内容物を吐出するための吐出口８０の第１吐出口８１となる。つまり、第１吐出口８１は、櫛歯片７Ａ〜７ＣのＸ方向の両側面にそれぞれ形成されており、櫛歯軸Ｏ１を挟んで対称に形成されている。
【００２３】
櫛歯片７の両端部の２本の櫛歯片７Ｄ〜Ｅは、櫛歯片７Ａ〜７Ｃを保護する機能を発揮するものであり、櫛歯片７同様に貫通孔８が形成されているが、連通孔９は形成されていないので内容物は吐出しない。ここで、このように櫛歯片７Ｃ及び７Ｄにも貫通孔８を形成するのは、射出成形時に金型内でコア金型のピン部材を横方向から挿通させるためである。
【００２４】
隣り合う櫛歯片７間のスペースＳのＹ方向の両端部にそれぞれ副櫛歯片１０が配設され、吐出口８０（貫通孔８）の中心部高さまで起立している。副櫛歯片１０は丸みを帯びた断面視三角形状であり、吐出口８０（貫通孔８）側となる内側の辺に、第１吐出口８１から吐出した内容物が櫛歯片７間のスペースＳでより保持し易いように、凹んだ液溜め部１１が設けられている。
【００２５】
次に、このように構成された櫛付きキャップの作用について説明する。
まず初めに、櫛付きキャップ１が口筒部に組み付いている容器本体を指等で押圧してスクイズ変形させる。これによって、容器本体の内圧が上昇し、容器本体内の内容物が、頂板６内から連通孔９を通って第１吐出口８１から吐出される。
第１吐出口８１から吐出された内容物は、隣り合う櫛歯片７間のスペースＳに溜まり、このスペースＳに液溜め部１１を有する副櫛歯片１０が設けられていることにより、内容物の粘度が低く（柔らかく）ても、液溜め部１１によって内容物を溜める保持力が発揮され、内容物を一度に多量に吐出させても外部に垂れ流れることを防止でき、より多くの内容物が毛髪に塗布することができため塗布ムラを防止することができる。また、内容物の粘度を低くしても、副櫛歯片１０があることで毛髪等を梳かした際に適度な抵抗を持ったコーミング感を得ることができる。
【００２６】
（第２の実施形態）
図５〜図８は櫛付きキャップの第２の実施形態を示すものである。なお、図５〜図７においては、主に櫛歯片７の構成が異なるが、前述した第１の実施形態と同様の構成については、前述した部材に対応する部材には同一の符号を付して説明は省略する。
【００２７】
第２の実施形態において、図８に示されるように、各櫛歯片７はＹ方向に延在する側端部に、先端部近傍を除いて窪んだ側端凹部１２が設けられている。毛髪を梳かし開始時は、櫛歯片７間のスペースＳに溜まった内容物が毛髪等に過剰に塗布されることが多いが、側端凹部１２を設けることによって、過剰な内容物が側端凹部１２に流入し一時的に溜めることができ、継続して毛髪を梳かした時に、側端凹部１２に溜まった内容物を毛髪等に塗布することができため塗布ムラを防止することができる。
【００２８】
（第３の実施形態）
図９〜図１１は櫛付きキャップの第３の実施形態を示すものである。なお、図９〜図１においては、前述した第１の実施形態と同様の構成については、前述した部材に対応する部材には同一の符号を付して説明は省略する。
【００２９】
第３の実施形態において、内容物を吐出させるための吐出口８０として、櫛歯軸Ｏ１方向の位置が異なる第一吐出口８１及び第二吐出口８２がそれぞれ形成されている。この第二吐出口８２は、櫛歯片７Ａ〜７Ｃの略中間高さに開口している。第二吐出口８２は、連通孔９を形成するためのコア金型（図示せず）にキャビティ金型の一部である縦喰い切りピン（図示せず）を接触させて成形することにより、その接触部分に形成された縦喰い切り孔である。縦喰い切りピンの当接面とキャビティ金型の当接面とを当接させることにより、成型時に、これらの当接部分に合成樹脂が回らなくなり、第二吐出口８２が形成される。
【００３０】
第一吐出口８１の開口面積は、第二吐出口８２の開口面積より大きいことが好ましい。第一吐出口８１の開口面積を第二吐出口８２の開口面積より大きくするのは、内容物を吐出口８０から吐出させる際、櫛歯片７の先端側の第一吐出口８１の方が内容物の流通経路が長くなるため、櫛歯片７の先端側の第一吐出口８１の方が櫛歯片７の基端側の第二吐出口８２よりも内容物が吐出し難い。このため、仮に、第一吐出口８１と第二吐出口８２の開口面積が同一の場合、櫛歯片７の先端側の第一吐出口８１からの吐出量が第二吐出口８２の吐出量よりも少なくなる。これに対し、上述の構成からなる櫛付きキャップ１では、第一吐出口８１の開口面積が大きくなっているため、第一吐出口８１及び第二吐出口８２における吐出量のばらつきが抑えられ、吐出量を均等化することができる。
【００３１】
吐出口８０が第一吐出口８１及び第二吐出口８２の２つとなっても十分な吐出量を確保できるように、連通孔９は第１の実施形態と同径の細孔部９ｂと、この細孔部９ｂより大径の太孔部９ａで構成される。細孔部９ｂは、櫛歯軸Ｏ１上に延設されており、細孔部９ｂの上端は第１吐出口８１の軸方向の中央部分に連通されている。太孔部９ａは、細孔部９ｂの下方に配設されており、太孔部９ａの下端は、起立筒５の内部と連通されている。また、太孔部９ａは細孔部９ｂに対してＸ方向の外側に拡幅されている。櫛歯片７Ａ〜７Ｃの基部は、この太孔部９ａがＸ方向の外側に拡幅された分だけ膨出した膨出部７ａが形成されている。
【００３２】
このような構成からなる櫛付きキャップ１によれば、櫛歯軸Ｏ１方向の位置が異なる第一吐出口８１及び第二吐出口８２から内容物がそれぞれ吐出され、スペースＳの広範囲の領域に内容物が吐出されるので、一度に多量の内容物を吐出させることができ、また、内容物の塗布ムラを防止することができる。また、１つの櫛歯片７の側面に第一吐出口８１及び第二吐出口８２がそれぞれ形成されていることにより、内容物の吐出量が多くなるので、毛髪に十分な量の内容物を塗布することができる。
【００３３】
第一吐出口８１の開口面積が第二吐出口８２の開口面積よりも大きくなっており、第一吐出口８１から内容物が吐出し易くなっているため、第一吐出口８１及び第二吐出口８２における吐出量のばらつきが抑えられ、各吐出口８１、８２からの吐出量の均等化を図ることができる。これによって、櫛歯片７間のスペースＳに均等に内容物を吐出させることができ、毛髪等に内容物をムラ無く塗布することができる。
【００３４】
（第４の実施形態）
図１２〜図１４は櫛付きキャップの第４の実施形態を示すものである。なお、図１２〜図１４においては、前述した第２及び第３の実施形態と同様の構成については、前述した部材に対応する部材には同一の符号を付して説明は省略する。
【００３５】
第４の実施形態は、第２の実施形態における櫛歯片７の側端凹部１２と、第３の実施形態における第二吐出口８２を設ける構成を組み合わせたものである。
このような構成からなる櫛付きキャップ１によれば、各吐出口８１、８２からの吐出量の均等化を図ることができることによって、櫛歯片７間のスペースＳに均等に内容物を吐出させることができ、また、櫛歯片７の側端凹部１２に内容物が側端凹部１２に流入し一時的に溜めることができ、継続して毛髪を梳かした時に、側端凹部１２に溜まった内容物を毛髪等に塗布することができため、毛髪等に内容物をムラ無く塗布することができる。
【００３６】
以上、実施例に沿って本発明の構成とその作用効果について説明したが、本発明の実施の形態は上記実施形態に限定されるものではない。
例えば、上記実施形態の櫛付きキャップ１は複数の櫛歯片７を一列に並べて起立設したものであるが、複数の列としたり、千鳥足状に起立設する構成としても構わない。また、上記実施形態では、平板形状の櫛歯片７が備えられているが、本発明は、櫛歯片の形状を適宜変更することが可能であり、例えば、丸棒状の櫛歯片を設けても構わない。また、上記実施形態では、副櫛歯片１０は丸みを帯びた断面視三角形状であるが、貫通孔８側となる内側の辺に液溜め部１１を備える形状であれば適宜変更することが可能である。
【００３７】
また、第二吐出口８２を設けるコア金型や縦喰い切りピンの当接面は、縦喰い切りピンやコア金型の中心軸線に対して直交した平面であっても、傾斜面でも構わない。更に、上記実施の形態では、櫛付きキャップ１が容器本体の口筒部に外装螺合する構成になっているが、本発明は、螺着以外の方法で櫛付きキャップ１を容器本体の口筒部に取り付けてもよく、例えば、アンダーカット嵌合によって櫛付きキャップ１を口筒部に取り付けてもよい。
【産業上の利用可能性】
【００３８】
以上説明したように、本発明の櫛付きキャップは、内容物の粘度を低くしても櫛歯片間のスペースに内容物を溜める保持力を十分に発揮することができ、これにより毛髪に塗布した際に塗布ムラを防止するため白髪染め液やヘアマニキュア等の注出容器製品での幅広い使用展開が期待される。
【符号の説明】
【００３９】
１    ；櫛付きキャップ
２    ；組付き筒
２ａ  ；突状部
３    ；頂壁
４    ；シール筒片
５    ；起立筒
５ａ  ；傾斜面
６    ；頂板
７    ；櫛歯片
８    ；貫通孔
９    ；連通孔
９ａ  ；太孔部
９ｂ  ；細孔部
１０  ；副櫛歯片
１１  ；液溜め部
１２  ；窪部
８０  ；吐出口
８１  ；第１吐出口
８２  ；第２吐出口
Ｏ    ；中心軸
Ｏ１  ；櫛歯軸
Ｓ    ；スペース
【図１】
2018108145.tif 000003
【図２】
2018108145.tif 000004
【図３】
2018108145.tif 000005
【図４】
2018108145.tif 000006
【図５】
2018108145.tif 000007
【図６】
2018108145.tif 000008
【図７】
2018108145.tif 000009
【図８】
2018108145.tif 000010
【図９】
2018108145.tif 000011
【図１０】
2018108145.tif 000012
【図１１】
2018108145.tif 000013
【図１２】
2018108145.tif 000014
【図１３】
2018108145.tif 000015
【図１４】
2018108145.tif 000016